(57)【要約】  【課題】  ドライバが視線を向けない状態で、周辺視野にて、多くの視覚的情報を得ることができる車両用表示装置を提供する。  【解決手段】    車両用表示装置１００は、提示情報を生成する装置３０ａ等にて生成された提示情報を変換することで、画像情報を生成する画像情報生成部１０と、画像情報生成部１０にて生成された画像情報を表示する表示部２０とを備えている。この画像情報は、提示情報を、当該提示情報の内容に応じた変化をするアニメーションで表示する画像情報である。このように、提示情報を示す画像情報に動きの要素を付加することで、ドライバは、周辺視野において、多くの情報を得ることができる。【選択図】  図１
2011240843.tif 000002
【特許請求の範囲】
【請求項１】
提示情報を画像情報として表示する車両用表示装置であって、
提示情報を、当該提示情報の内容に応じた変化をするアニメーションによって表示することを特徴とする車両用表示装置。
【請求項２】
前記アニメーションは、最終的に表示する図形が徐々に完成するように変化することを特徴とする請求項１に記載の車両用表示装置。
【請求項３】
前記アニメーションは、字をその書き順に従って、徐々に書いていくアニメーションであることを特徴とする請求項２に記載の車両用表示装置。
【請求項４】
前記アニメーションは、自車両が進むべき方向を示す矢印を、その方向に自車両が進んだときの自車両の軌跡に従って、徐々に描いていくアニメーションであることを特徴とする請求項２に記載の車両用表示装置。
【請求項５】
前記アニメーションは、自車両の周辺の他車両が存在する方向を示す三角形状又は矢印を、自車両の画像の周辺で、当該他車両が存在する方向から自車両に向けて徐々に描いていくアニメーションであることを特徴とする請求項２に記載の車両用表示装置。
【請求項６】
提示情報を画像情報として表示する車両用表示装置であって、
提示情報を生成する装置にて生成された提示情報を変換することで、画像情報を生成する画像情報生成部と、
前記画像情報生成部にて生成された画像情報を表示する表示部とを備え、
前記画像情報は、前記提示情報を、当該提示情報の内容に応じた変化をするアニメーションで表示する画像情報であることを特徴とする車両用表示装置。
【請求項７】
提示情報を生成する提示情報生成装置と、
前記提示情報生成装置にて生成された提示情報を変換することで、画像情報を生成する画像情報生成部と、
前記画像情報生成部にて生成された画像情報を表示する表示部とを備え、
前記画像情報は、前記提示情報を、当該提示情報の内容に応じた変化をするアニメーションで表示する画像情報であることを特徴とする車両。
【請求項８】
提示情報を画像情報として表示する車両用情報表示方法であって、
提示情報を生成する提示情報生成ステップと、
前記提示情報生成装置にて生成された提示情報を変換することで、画像情報を生成する画像情報生成ステップと、
前記画像情報生成部にて生成された画像情報を表示する表示ステップとを含み、
前記画像情報は、前記提示情報を、当該提示情報の内容に応じた変化をするアニメーションで表示する情報であることを特徴とする車両用情報表示方法。
【発明の詳細な説明】
【技術分野】
【０００１】
本発明は、車両においてドライバに向けて提示情報を画像情報として表示する車両用表示装置に関する。本発明の車両用表示装置は、車両のインストルメント・パネルに好適に適用される。
【背景技術】
【０００２】
車両のインストルメント・パネル（以下、「インパネ」と略称する。）は、運転席に座ったドライバから見ると、その前方であって、ステアリングの後方、かつフロントウィンドウの下方に位置するよう配置されている。インパネには、スピードメータ、タコメータ、燃料計、水温計、距離計など、自動車の走行に必要な情報を示す計器類が配置されている。
【０００３】
昨今では、インパネにプロジェクタによる投影表示や液晶パネルによる表示の方式を採用することで、インパネに表示する情報を固定する必要がなくなり、スピードメータ等の法令上表示することが必須である情報を除き、必要に応じて任意の情報を表示するインパネも知られている。例えば、インパネの一部のエリアを使って、エアコンの操作をする際には操作状況（設定温度等）を表示するとともに、ナビゲーションをする場合には進行方向の指示を表示したりすることが可能である。
【０００４】
上述のように、インパネは運転席に座ったドライバから見やすい位置に配置されているものの、ドライバがそこに視線を向ければ車両前方の状況を十分に把握できず、危険である。但し、ドライバは、運転時にはフロントウィンドウを通じて車両前方を見ている場合にも、その垂直視野内にインパネが入るため、視線をインパネまで落とさなくても、インパネから一定の視覚的な情報は得られる。
【０００５】
非特許文献１によれば、情報を詳細に認知する能力は、視線からの角度が大きくなるにつれて劣っていく。例えば、色の識別という識別難度の比較的低い情報は、比較的広い視野角内で識別できるが、丸、三角、四角等の形状の識別のように、識別難度が色の識別より高い情報については、より狭い視野角内でしか識別できない。さらに、文字の識別という識別難度が丸、三角、四角等のような単純な形状の識別よりさらに高い情報は、単純な形状の識別が可能な視野角範囲より狭い視野角内でしか識別できない。
【０００６】
従って、例えば、インパネに表示される比較的単純な情報である色の識別は、インパネに直接視線を向けなくても、車両前方に視線を向けたままで行うことが可能であるが、インパネに直接視線を向けずに、車両前方に視線を向けたままでは、より詳細な情報である文字の認識はまではできないということが生じる。
【０００７】
特許文献１では、車両を走行させるエネルギーの現在の消費量に応じて表示部に表示される図形の表示面積又は表示色を変化させる車両用表示装置が提案されている。また、特許文献２では、車両速度、発動機の回転数、燃料残量、バッテリ残量、水温又は車間距離が所定の値になったときに、インパネの輝度又は表示色を変化させる車両用表示装置が提案されている。このように、ドライバに提示する情報を識別難度の低い視覚的情報に変換して出力することで、ドライバは視線をインパネに落とさなくても、インパネから一定の視覚的情報を得ることができる。
【先行技術文献】
【特許文献】
【０００８】
【特許文献１】特開２００９−１１３７２４号公報
【特許文献２】特開２００６−２５８７８３号公報
【非特許文献】
【０００９】
【非特許文献１】「情報数理シリーズ〈Ｃ−１〉図説エルゴノミクス入門」、野呂影勇、２００３年１２月２０日
【発明の概要】
【発明が解決しようとする課題】
【００１０】
しかしながら、ドライバに提示する視覚的情報を識別難度の低い情報に変換すると、ドライバが得られる情報の情報量も少なくなる。例えば、特許文献１に従って、エネルギー消費量が少ないこと（省エネルギー）を示す緑色と、エネルギー消費量が多いこと（非省エネルギー）を示す青色との間で、エネルギーの現在の消費量に応じて表示色を連続的に変化させて表示する場合には、ドライバは緑色を認識することで、現在のドライブ状態が非省エネルギーではなく省エネルギーの状態であることを認識できるが、それがどの程度の省エネルギードライブであるのかまでは、インパネに視線を向けてインジケータ等を確認しなければ分からない。
【００１１】
また、例えば、特許文献２に従って、高速を示す高輝度と低速を示す低輝度との間で、車両速度に応じてインパネの輝度を連続的に変化させる場合には、ドライバは高輝度であることを認識することで、現在の車両速度が高速であることを認識できるが、それが具体的に時速何キロであるかまでは、インパネに視線を向けてメータ等を確認しなければ分からない。
【００１２】
そこで、本発明は、ドライバが視線を向けない状態で周辺視野にて多くの視覚的情報を得ることができる車両用表示装置を提供することを目的とする。
【課題を解決するための手段】
【００１３】
上記課題を解決するために、本発明の車両用表示装置は、提示情報を画像情報として表示する車両用表示装置であって、提示情報の内容に応じた変化をするアニメーションによって当該提示情報を表示する。
【００１４】
即ち、従来の車両表表示装置では、提示すべき情報の変化に伴って、形状、色、輝度等を変化させるものはあったが、本発明の車両表示装置は、ある１つの情報を提示するのに形状、色、輝度等が変化するアニメーションを表示する。このように、提示情報を示す画像情報に、形状、色、輝度等といった要素だけでなく、それらの変化ないしは動きの要素を付加することで、ドライバは、比較的単純な視覚的情報しか認識できない周辺視野（視野の絶対的限界内には含まれるが、視線からの角度が大きい部分）において、より多くの情報を得ることができる。
【００１５】
例えば、数字を表示する場合に、単純に静止画としてその数字を点灯させて表示すると、周辺視野では、何らかの図形が表示されていることは認識できるがそれが特定の数字であることを認識できない。このような場合にも、同一の位置及び大きさで、その数字を書き順に従って書いたようなアニメーションで表示することで、周辺視野でもその数字がいくつであるかを把握できる。本発明は、このような人間の周辺視野での変化ないし動きに対する認知能力を利用して、周辺視野で得られる視覚的情報の情報量を増大させるものである。
【００１６】
また、上記の車両用表示装置において、前記アニメーションは、最終的に表示する図形が徐々に完成するように変化する。
【００１７】
なお、表示する図形は、その形状が情報の内容を示す場合には、丸、三角、四角等の簡易な形状、又は数字、ひらがな、カタカナ、アルファベットといった余り複雑でない形状を採用することが望ましく、その色が情報の内容を示す場合には、赤、青、緑といった原色、又は緑、紫、橙といった二次色を採用することが望ましい。
【００１８】
前記アニメーションは、数字、ひらがな、カタカナ、アルファベット等の字をその書き順に従って、徐々に書いていくアニメーションであってよい。
【００１９】
この構成により、単に点灯するだけでは周辺視野では認識が困難な形状である数字等の字を、周辺視野にて認識できる。
【００２０】
前記アニメーションは、自車両が進むべき方向を示す矢印を、その方向に自車両が進んだときの自車両の軌跡に従って、徐々に描いていくアニメーションである。
【００２１】
この構成により、単に点灯するだけでは周辺視野では認識が困難な矢印の方向を、周辺視野にて認識できる。
【００２２】
前記アニメーションは、自車両の周辺の他車両が存在する方向を示す三角形状又は矢印を、自車両の画像の周辺で、当該他車両が存在する方向から自車両に向けて徐々に描いていくアニメーションである。
【００２３】
この構成により、単に点灯するだけでは周辺視野では認識が困難な自車両と他車両との位置関係を、周辺視野にて認識できる。
【００２４】
また、本発明の車両用表示装置は、提示情報を画像情報として表示する車両用表示装置であって、提示情報を生成する装置にて生成された提示情報を変換することで、画像情報を生成する画像情報生成部と、前記画像情報生成部にて生成された画像情報を表示する表示部とを備え、前記画像情報は、前記提示情報を、当該提示情報の内容に応じた変化をするアニメーションで表示する画像情報である。
【００２５】
この構成により、提示情報を示す画像情報に、形状、色、輝度等といった要素だけでなく、それらの変化ないしは動きの要素を付加することで、ドライバは、比較的単純な視覚的情報しか認識できない周辺視野においても、より多くの情報を得ることができる。
【００２６】
本発明の別の態様は、車両であって、この車両は、提示情報を生成する提示情報生成装置と、前記提示情報生成装置にて生成された提示情報を変換することで、画像情報を生成する画像情報生成部と、前記画像情報生成部にて生成された画像情報を表示する表示部とを備え、前記画像情報は、前記提示情報を、当該提示情報の内容に応じた変化をするアニメーションで表示する画像情報である。
【００２７】
本発明の更に別の態様は、提示情報を画像情報として表示する車両用情報表示方法であって、この方法は、提示情報を生成する提示情報生成ステップと、前記提示情報生成装置にて生成された提示情報を変換することで、画像情報を生成する画像情報生成ステップと、前記画像情報生成部にて生成された画像情報を表示する表示ステップとを含み、前記画像情報は、前記提示情報を、当該提示情報の内容に応じた変化をするアニメーションで表示する情報である。
【発明の効果】
【００２８】
本発明によれば、ドライバは、車両表表示装置に視線を向けない状態で、その周辺視野にて、車両用表示装置から多くの視覚的情報を得ることができるので、ドライバは車両前方から視線を逸らさない状態で車両用表示装置から多く視覚的情報を得ることができ、運転の安全性を確保できる。
【図面の簡単な説明】
【００２９】
【図１】本発明の実施の形態における車両用表示装置を搭載した車両のブロック図
【図２】本発明の実施の形態における表示パネルを示す図
【図３ａ】エアコンの設定温度を示す情報の表示例（「６」の上棒を書き終えた段階）を示す図
【図３ｂ】エアコンの設定温度を示す情報の表示例（「６」の左上棒まで書き終えた段階）を示す図
【図３ｃ】エアコンの設定温度を示す情報の表示例（「６」の下棒を書いている段階）を示す図
【図３ｄ】エアコンの設定温度を示す情報の表示例（「６」の右下棒を書いている段階）を示す図
【図３ｅ】エアコンの設定温度を示す情報の表示例（「６」の右下棒まで書き終えた段階）を示す図
【図３ｆ】エアコンの設定温度を示す情報の表示例（「６」を書き終えた段階）を示す図
【図４ａ】走行支援情報の表示例（矢印の直進方向の部分を描いている段階）を示す図
【図４ｂ】走行支援情報の表示例（矢印の直進方向の部分を描き終えた段階）を示す図
【図４ｃ】走行支援情報の表示例（矢印を描き終えた段階）を示す図
【図５ａ】周辺車両情報の表示例（三角形状の下六分の一程度の部分のみを書き終えた段階）を示す図
【図５ｂ】周辺車両情報の表示例（三角形状の下三分の一程度の部分まで書き終えた段階）を示す図
【図５ｃ】周辺車両情報の表示例（三角形状の下三分の二程度の部分まで書き終えた段階）を示す図
【図５ｄ】周辺車両情報の表示例（三角形状を書き終えた段階）を示す図
【図６ａ】周辺車両情報の表示例（矢印の下三分の一程度の部分まで描き終えた段階）を示す図
【図６ｂ】周辺車両情報の表示例（矢印の下三分の二程度の部分まで描き終えた段階）を示す図
【図６ｃ】周辺車両情報の表示例（矢印を描き終えた段階）を示す図
【発明を実施するための形態】
【００３０】
以下、本発明の実施の形態の車両用表示装置及びそれを搭載した車両について、図面を用いて説明する。
【００３１】
図１は、第１の実施の形態の車両用表示装置を搭載した車両のブロック図である。図１は、本実施の形態の説明に関連する要素のみを表している。車両１は、画像情報生成部１０及び表示部２０を備えた車両用表示装置１００と、車両用表示装置１００にて表示する情報（提示情報）を生成する提示情報生成装置としてのナビゲーション装置３０ａ、エアコン３０ｂ、オーディオ装置３０ｃ、通信装置３０ｄ、他車両センサ３０ｅ、速度センサ３０ｆと、操作部４０とを備えている。車両１は、車両用表示装置１００にて表示する情報を生成する装置として上記以外の他の装置を備えていてよい。本実施の形態では、車両１は自動車である。
【００３２】
操作部４０は、ステアリングに設けられたスイッチである。操作部４０をステアリングに設けることで、ドライバはステアリングから手を離すことなく操作を行うことができる。操作部４０は、ナビゲーション装置３０ａ、エアコン３０ｂ、オーディオ装置３０ｃ、及び通信装置３０ｄに接続されており、それらの装置を操作することができる。
【００３３】
ナビゲーション装置３０ａは、走行支援情報として、例えば右折を示す情報を生成して画像情報生成装置１０に出力する。エアコン３０ｂは、例えば操作部４０にて設定された設定温度を示す情報を生成して画像情報生成装置１０に出力する。オーディオ装置３０ｃは、例えば操作部４０にて設定された再生、一時停止等の状態や音量を示す情報を生成して画像情報生成装置１０に出力する。通信装置３０ｄは、例えば操作部４０にて設定された通信先番号を示す情報を生成して画像情報生成装置１０に出力する。他車両センサ３０ｅは、車両周辺の他の車両の情報（周辺車両情報）として、例えば他車両の存在及びその方向を示す情報を生成して画像情報生成装置１０に出力する。速度センサ３０ｆは、例えば現在の走行速度を示す情報を生成して画像情報生成装置１０に出力する。
【００３４】
画像情報生成装置１０は、ナビゲーション装置３０ａ、エアコン３０ｂ、オーディオ装置３０ｃ、通信装置３０ｄ、他車両センサ３０ｅ、及び速度センサ３０ｆから入力された情報を変換することで、表示部２０で表示する画像情報を生成する。画像情報生成部１０には、入力された情報に対応する画像情報が予め保存されている。画像情報生成部１０は、保存された画像情報の中から、入力された情報に対応する画像情報を選択することで、画像情報を生成する。この画像情報には、本発明において特徴的なアニメーション（経時的に変化する画像）を表示するための画像情報のほか、静止画を表示するための画像情報も保存されている。画像情報生成部１０にて生成された画像情報は、表示部２０に出力される。
【００３５】
表示部２０は、液晶表示装置で構成される。液晶表示装置は、車両のインパネを構成する液晶の表示パネルと、この表示パネルを駆動するドライバ回路とを備えている。ドライバ回路に画像情報生成部１０から取得した画像情報が入力され、このドライバ回路によって表示パネルを駆動することで、表示パネルに画像が表示される。
【００３６】
表示部２０は、プロジェクタと表示パネルとを備えて、一部又は全部がプロジェクタにて表示パネルに画像を投影することで、画像情報生成部１０から取得した画像情報を表示してよく、また、表示部２０の一部に機械的な回転計や後方からＬＥＤ等の光源を点滅させて表示を行うランプが含まれていてもよい。表示パネルは、概ね横長の長方形状又は楕円形状であり、運転席に座ったドライバから見て、その前方であって、ステアリングの後方、かつフロントウィンドウの下方に位置するよう配置されている。
【００３７】
図２は、表示部２０の表示パネルを示す図である。表示パネル２１では、右から順に第１の表示領域２０１、第２の表示領域２０２、第３の表示領域２０３が並んでいる。これら第１〜第３の表示領域の下に細長の第４の表示領域２０４がある。右側の第１の表示領域２０１には、法令上必要とされるスピードメータが表示される。中央の第２の表示領域２０２は、ドライバが画像を最も認識しやすい領域であるので、危険性に関るような重要な情報を表示する。左の第３の領域２０３には、運転の快適性に関するような比較的重要度の低い情報を表示する。また、第４の領域２０４には、各種計器類の異常があった場合に、異常のある計器に対応するマークを表示する。
【００３８】
上述のように、本実施の形態では、表示パネル２１として、液晶の表示パネルを採用しているので、各領域には任意の情報を表示できる。例えば、エアコン３０ｂを操作する場合には、第３の領域において、その操作状況（例えば設定温度）を表示するとともに、オーディオ装置３０ｃを操作する場合には、同じ第３の領域において、オーディオの操作状況（再生や早送り等）を表示するということも可能である。以下、表示部２０による表示の例を具体的に説明する。
【００３９】
（字の表示例）
図３ａ〜ｆは、エアコン３０ｂの設定温度を示す情報の表示例を示す図である。図３ａ〜ｆは、表示パネルに表示される画像を時系列に並べて示している。図３ａ〜ｆは、エアコン３０ｂの設定温度が操作部４０によって「２６」にされたときの表示例を示している。図３ａ〜ｆに示すように、表示部２０は、「２６」という数字を表示する際に、この数字をいきなり点灯させて静止画として表示するのではなく、「２６」という数字が徐々に完成するようなアニメーションを表示する。
【００４０】
しかも、徐々に完成するように表示するにあたって、単に上から徐々に表示していくといった単純な方法ではなく、人が手書きでその数字を書いたようなアニメーションにする。書き順は、一般的なドライバが採用するであろう書き順（国や地域によって異なることもある）を採用して設計すればよい。即ち、本実施の形態では、情報（特定の数）が、その情報の内容（当該数）に応じた方法（書き順）で変化するアニメーションとして表示される。
【００４１】
図３ａ〜ｆの例は、このようにして既に「２」が書き終わった後に、「６」を書く様子を時系列で表している。「６」は、一般的には、右上から書き始めて左上、左下を通って、右に進み、その後、中間の高さまで上がって、既に書いた左の線に突き当たるまで左に進むようにして書かれるので、「６」を表示するアニメーションもこれと同じ順で書いたように表示する。
【００４２】
このように、一般的な書き順に従って数字を書いたアニメーションを表示することにより、ドライバは、周辺視野においても、アニメーションによる画像の変化から、そのアニメーションによって特定の数字が書かれたということ、即ちそのアニメーションによって表示された数字を認識できる。
【００４３】
なお、図３ａ〜ｆに示すように、アニメーションの過程において、まだ表示されていない部分にも薄い色（低輝度）で表示がされている。これは、アニメーションの途中であっても、ドライバが表示パネル２１に視線を向けたときに、最終的に表示される画像を瞬時に認識できるようにするためである。即ち、上記の例で、「２６」という数字を表示するアニメーションの開始時には、薄い色で「２６」と表示されており、時間の経過とともに濃い色（高輝度）の部分が増えていく。
【００４４】
なお、「２」、「６」以外の他の数字についても同様に、各々の書き順に従って徐々に書かれていくアニメーションを表示する。また、同様に、比較的簡単な文字、例えばひらがな、カタカナ、アルファベットについても、単に点灯させるだけの表示では識別できない周辺視野においても、上記と同様にしてその文字の書き順に従って徐々に書かれていくアニメーションを表示することで、識別できるようになる。
【００４５】
さらに、複数の数字や文字を順に表示することで、より多くの情報をドライバに提供できる。例えば、「１０：３６」という時刻の情報を提示するために、「１０」を上記のように第１の表示領域にてアニメーションで表示して、「１０」を書き終わった後にそれを消して、同じ第１の表示領域に「３６」を上記のようにアニメーションで表示してよい。
【００４６】
（進行方向の表示例）
図４ａ〜ｃは、ナビゲーション装置３０ａによる走行支援情報の表示例を示す図である。図４ａ〜ｃは、表示パネルに表示される画像を時系列に並べて示している。図４ａ〜ｃは、ナビゲーション装置３０ａにて少し先の交差点を右折するという走行支援情報が生成されたときの表示例を示している。図４ａ〜ｃに示すように、表示部２０は、下から上に伸びて右に折れ曲がった矢印を表示する際に、この矢印をいきなり点灯させて静止画として表示するのではなく、下から上に伸びて右に折れ曲がった矢印が徐々に完成するようなアニメーションを表示する。
【００４７】
しかも、徐々に完成するように表示するにあたって、単に上から徐々に表示していくといった単純な方法ではなく、車両が実際に通る軌跡を示すアニメーションにする。即ち、本実施の形態では、情報（少し先の交差点を右折）が、その情報の内容（少し先まで直進してから右のほうに進む）に応じた方法（少し先まで直進してから右のほうに進んだときの車両の軌跡）で変化するアニメーションとして表示される。
【００４８】
図４ａ〜ｃは、少し先を右折するという走行支援情報を下から上に伸びて右に折れ曲がった矢印で表示する例である。少し先の交差点を右折する場合には、車両はまず少し先まで直進してから右の方に進むことになる。よって、少し先の交差点を右折するという走行支援情報を表示するアニメーションもこれと同じように、下から徐々に上に伸びた後に、右方向に伸びて、最後に右向きの矢尻を書いたように表示する。
【００４９】
このように、車両が走行支援情報に従って走行したときの車両の軌跡に従って矢印を書くアニメーションを表示することにより、ドライバは、周辺視野においても、アニメーションによる画像の変化から、そのアニメーションが特定の走行支援情報を表示したということ、即ちそのアニメーションによって表示された走行支援情報を認識できる。
【００５０】
なお、図４ａ〜ｃの例でも、アニメーションの過程において、矢印のまだ表示されていない部分についても薄い色（低輝度）で表示がされている。これにより、アニメーションの途中であっても、ドライバが表示パネル２１に視線を向けたときには、最終的に表示される画像を瞬時に認識できる。即ち、図４ａ〜ｃの例で、矢印を表示するアニメーションの開始時には、最終的に表示される上向きから右向きに折れ曲がる矢印が薄い色で表示されており、時間の経過とともに濃い色（高輝度）の部分が増えていく。
【００５１】
なお、左折の場合は上記と同様にして左に折れる矢印を表示すればよい。また、直進の場合には、下からまっすぐ上に伸びる矢印を、下から徐々に完成するようなアニメーションで表示すればよい。
【００５２】
また、停止の場合には、最初に上向きの矢印を表示しておいて、下から徐々に消えていくようなアニメーションを表示すればよい。この場合にも、「停止」という情報が、徐々に減速していって最終的に速度がゼロになるというその情報の内容に応じて、徐々に上向きの矢印が短くなっていって最終的に矢印がなくなるという方法で変化するアニメーションで表示される。
【００５３】
（周辺車両情報の表示例）
図５ａ〜ｄは、他車両センサ３０ｅにより検知された自車両周辺の他の車両の情報（周辺車両情報）の表示例を示す図である。図５ａ〜ｄは、表示パネルに表示される画像を時系列に並べて示している。図５ａ〜ｄは、他車両センサ３０ｅにて自車両の左後方に他車両が存在するという周辺車両情報が生成されたときの表示例を示している。図５ａ〜ｄに示すように、表示部２０は、自車両の左後方に他車両が存在するという周辺車両情報を示す画像として、上から見た自車両の画像とその車両の左下部分に配置された頂点に矢尻を有する三角形状の画像を表示する。この画像において、三角形状は、底辺が自車両から比較的遠い位置にあり、頂点が自車両の画像のすぐ横になるように配置される。
【００５４】
そして、この三角形状を表示する際に、この三角形状をいきなり点灯させて静止画として表示するのではなく、三角形状が徐々に完成するアニメーションで表示する。しかも、三角形状を徐々に完成させるように表示するにあたって、単に上から徐々に表示していくといった単純な方法ではなく、周辺車両が存在する方向から自車両に向けて、徐々に三角形状を完成させていく。これにより、自車両に対して近づいてくる（又は自車両が近づいていく）可能性のある他車両が存在する方向から、自車両に向けて、徐々に伸びるともに、車両に近づくにつれて幅を徐々に狭くするアニメーションにする。即ち、本実施の形態では、情報（他車両の存在する方向）が、その情報の内容（自車両に対して近づいてくる可能性があること）に応じた方法（他車両の存在方向から自車両に向けて、徐々に三角形状を完成させる）で変化するアニメーションとして表示される。
【００５５】
ドライバは、その他車両が自車両に近づいてくること、及び自車両がその他車両に近づいていくことを避けるように運転しなければならない。そこで、他車両センサ３０ｅが、車両周辺に他車両の存在を検知した場合には、その存在方向から自車両に対して徐々に他車両が近づいてくることを示すアニメーションを表示することで、ドライバに注意を促すことができる。
【００５６】
ここで、アニメーションの描画方法は、他車両と自車両との間の距離、及び／又は他車両の自車両に対する相対速度に応じて変更可能としてよい。例えば、他車両の自車両に対する相対速度が大きい場合に、描画速度を速くし、及び／又は他車両と自車両との間の距離が近い場合に、三角形状の輝度を高くしてよい。この場合、他車両センサ３０ｅは、ソナー又はカメラで構成される。ソナー又はカメラを用いることで、他車両と自車両との間の距離、及び他車両の自車両に対する相対速度を測定できる。なお、図５ａ〜ｄの例でも、上記と同様の理由により、アニメーションの過程において、まだ表示されていない部分にも薄い色（低輝度）で表示がされている。
【００５７】
なお、後方、右後方、左前方、右前方にて他車両が検知された場合にも、上記と同様にして、検知された他車両が存在する方向から徐々に自車両に向けて幅が狭くなるように描かれる三角形状をアニメーション表示することにより、ドライバは、周辺視野でも他車両の存在する方向を認識できる。
【００５８】
図６ａ〜ｃは、周辺車両情報の他の表示例を示す図である。図６ａ〜ｃも、他車両センサ３０ｅにて自車両の左後方に他車両が存在するという周辺車両情報が生成されたときの表示例を示しているが、図５の例と異なり、自車両の左後方に他車両が存在するという周辺車両情報を示す画像として、後ろから見た自車両の画像とその自車両の左下から自車両の左側方に向く矢印の画像を表示する。
【００５９】
以上のように、本実施の形態の車両用表示装置によれば、提示情報をその内容に応じた方法で変化するアニメーションに変換して、そのアニメーションを表示するので、ドライバは、比較的単純な視覚的情報しか認識できない周辺視野にて、より多くの情報を得ることができる。
【００６０】
なお、上記の実施の形態では、車両１が自動車である場合を例に挙げて説明をしたが、本発明の車両用表示装置は、二輪自動車、電車等、他の車両にも適用可能である。
【産業上の利用可能性】
【００６１】
以上のように、本発明にかかる車両用表示装置は、ドライバが視線を向けない状態で周辺視野にて多くの視覚的情報を得ることができるという効果を有し、車両においてドライバに向けて提示情報を画像情報として表示する車両用表示装置等に好適に適用される。
【符号の説明】
【００６２】
１  車両
１０  画像情報生成部
２０  表示部
２１  表示パネル
３０ａ  ナビゲーション装置
３０ｂ  エアコン
３０ｃ  オーディオ装置
３０ｄ  通信装置
３０ｅ  他車両センサ
３０ｆ  速度センサ
４０  操作部
１００  車両用表示装置
２０１  第１の表示領域
２０２  第２の表示領域
２０３  第３の表示領域
２０４  第４の表示領域
【図１】
2011240843.tif 000003
【図２】
2011240843.tif 000004
【図３ａ】
2011240843.tif 000005
【図３ｂ】
2011240843.tif 000006
【図３ｃ】
2011240843.tif 000007
【図３ｄ】
2011240843.tif 000008
【図３ｅ】
2011240843.tif 000009
【図３ｆ】
2011240843.tif 000010
【図４ａ】
2011240843.tif 000011
【図４ｂ】
2011240843.tif 000012
【図４ｃ】
2011240843.tif 000013
【図５ａ】
2011240843.tif 000014
【図５ｂ】
2011240843.tif 000015
【図５ｃ】
2011240843.tif 000016
【図５ｄ】
2011240843.tif 000017
【図６ａ】
2011240843.tif 000018
【図６ｂ】
2011240843.tif 000019
【図６ｃ】
2011240843.tif 000020